(57)【要約】【課題】高速な符号化復号化部を備えずとも円滑に高速データ通信を行えるようにしたファクシミリ装置を提供することを目的としている。【解決手段】送信画情報を一旦蓄積した後に、相手端末へ送信するファクシミリ装置の制御方法において、相手端末との間で使用する伝送機能を決定した時点で、蓄積した送信画情報をその決定した伝送機能に対応して変換する処理を開始するようにした。その結果、従前装置と同等の処理速度の符号化復号化部を用いて、Ｖ．３４モデム機能を備えたファクシミリ装置を構成することができ、高速データ通信が可能なファクシミリ装置の装置コストの上昇を抑制することができるという効果を得る。【選択図】        図５
2005102308.tif 000002
【特許請求の範囲】
【請求項１】
送信画情報を一旦蓄積した後に、相手端末へ送信するファクシミリ装置の制御方法において、
相手端末との間で使用する伝送機能を決定した時点で、蓄積した送信画情報をその決定した伝送機能に対応して変換する処理を開始することを特徴とするファクシミリ装置の制御方法。
【請求項２】
送信画情報を一旦蓄積し、その蓄積した送信画情報を相手端末で使用可能な符号化方式に変換した後に、相手端末へ送信するファクシミリ装置の制御方法において、
相手端末との間で使用する画情報の符号化方式を決定した時点で、蓄積した送信画情報をその決定した符号化方式の画情報に変換する処理を開始することを特徴とするファクシミリ装置の制御方法。
【請求項３】
モデム機能としてＶ．３４モデム機能を備えるとともに、送信画情報を一旦蓄積し、その蓄積した送信画情報を相手端末で使用可能な符号化方式に変換した後に、相手端末へ送信するファクシミリ装置の制御方法において、
Ｖ．３４モデム機能のコントロールチャネルプロトコル手順で、相手端末との間で使用する画情報の符号化方式を決定した時点で、蓄積した送信画情報をその決定した符号化方式の画情報に変換する処理を開始することを特徴とするファクシミリ装置の制御方法。
【請求項４】
相手端末の伝送機能の履歴を記憶し、発呼時には、指定された相手端末について記憶している伝送機能の履歴に基づいてそのときに使用する伝送機能を決定し、相手端末へその決定した伝送機能を通知して画情報送信動作を開始するとともに、送信画情報を一旦蓄積した後に、相手端末へ送信するファクシミリ装置の制御方法において、
相手端末との間で使用する伝送機能を決定した時点で、蓄積した送信画情報をその決定した伝送機能に対応して変換する処理を開始することを特徴とするファクシミリ装置の制御方法。
【請求項５】
前記送信画情報は、所定のレポート画像の画情報であることを特徴とする請求項１または請求項２または請求項３または請求項４記載のファクシミリ装置の制御方法。
【発明の詳細な説明】
【技術分野】
【０００１】
本発明は、送信画情報を一旦蓄積した後に、相手端末へ送信するファクシミリ装置の制御方法に関する。
【背景技術】
【０００２】
一般に、ファクシミリ通信のようなデータ伝送には、より伝送時間を短縮したいという要求があり、そのために、画情報の伝送に適用される高速モデム機能として、より伝送速度の大きいものが適用されるようになってきている。例えば、最新のモデム勧告であるＩＴＵ−Ｔ勧告Ｖ．３４に準拠したモデム（以下、Ｖ．３４モデムという）では、最大３３．４Ｋｂｐｓという非常に高速なデータ伝送速度を適用することができる。
【非特許文献１】ＩＴＵ−Ｔ勧告Ｖ．３４
【発明の開示】
【発明が解決しようとする課題】
【０００３】
ところで、このように高速なデータ伝送速度を適用する場合には、それに伴って、送信画情報等の送信データを生成するデータ生成手段のデータ生成速度も高速にする必要がある。
【０００４】
しかしながら、従前のＩＴＵ−Ｔ勧告Ｖ．１７のモデムを用いていたファクシミリ装置において、送信画情報を生成していたデータ生成手段、すなわち、送信画像データを符号化圧縮する符号化復号化部をそのままＶ．３４モデムを使用するファクシミリ装置に適用した場合、符号化復号化部が送信画情報を出力するまでに時間がかかりすぎて画情報送信が開始されないという不具合を生じ、そのために、Ｖ．３４モデムを使用するファクシミリ装置では、高速な符号化復号化部を備える必要があり、装置コストが高くなるという問題があった。
【０００５】
本発明は、かかる実情に鑑みてなされたものであり、高速な符号化復号化部を備えずとも円滑に高速データ通信を行えるようにしたファクシミリ装置を提供することを目的としている。
【課題を解決するための手段】
【０００６】
本発明は、送信画情報を一旦蓄積した後に、相手端末へ送信するファクシミリ装置の制御方法において、相手端末との間で使用する伝送機能を決定した時点で、蓄積した送信画情報をその決定した伝送機能に対応して変換する処理を開始するようにしたものである。
【０００７】
また、送信画情報を一旦蓄積し、その蓄積した送信画情報を相手端末で使用可能な符号化方式に変換した後に、相手端末へ送信するファクシミリ装置の制御方法において、相手端末との間で使用する画情報の符号化方式を決定した時点で、蓄積した送信画情報をその決定した符号化方式の画情報に変換する処理を開始するようにしたものである。
【０００８】
また、モデム機能としてＶ．３４モデム機能を備えるとともに、送信画情報を一旦蓄積し、その蓄積した送信画情報を相手端末で使用可能な符号化方式に変換した後に、相手端末へ送信するファクシミリ装置の制御方法において、Ｖ．３４モデム機能のコントロールチャネルプロトコル手順で、相手端末との間で使用する画情報の符号化方式を決定した時点で、蓄積した送信画情報をその決定した符号化方式の画情報に変換する処理を開始するようにしたものである。
【０００９】
また、相手端末の伝送機能の履歴を記憶し、発呼時には、指定された相手端末について記憶している伝送機能の履歴に基づいてそのときに使用する伝送機能を決定し、相手端末へその決定した伝送機能を通知して画情報送信動作を開始するとともに、送信画情報を一旦蓄積した後に、相手端末へ送信するファクシミリ装置の制御方法において、相手端末との間で使用する伝送機能を決定した時点で、蓄積した送信画情報をその決定した伝送機能に対応して変換する処理を開始するようにしたものである。また、前記送信画情報は、所定のレポート画像の画情報である。
【発明の効果】
【００１０】
したがって、本発明によれば、Ｖ．３４モデム機能を使用する場合、最も早い時点で符号化復号化部の動作を起動しているので、グループ３ファクシミリモデムによる画情報の送信開始時点において、十分なデータ量の送信画情報を用意することができ、その結果、従前装置と同等の処理速度の符号化復号化部を用いて、Ｖ．３４モデム機能を備えたファクシミリ装置を構成することができ、高速データ通信が可能なファクシミリ装置の装置コストの上昇を抑制することができるという効果を得る。
【００１１】
また、ＡＩ短プロを適用する場合でも、画情報の送信時に十分なデータ量の送信画情報を揃えることができ、画情報送信を円滑に行えるという効果も得る。
【発明を実施するための最良の形態】
【００１２】
以下、添付図面を参照しながら、本発明の実施の形態を詳細に説明する。
【００１３】
図１は、本発明の一実施例にかかるグループ３ファクシミリ装置を示している。
【００１４】
同図において、システム制御部１は、このグループ３ファクシミリ装置の各部の制御処理、および、ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報、例えば、いわゆるＡＩ短プロを実行するために設ける相手端末の伝送機能の履歴情報テーブル（図示略）などを記憶するためのものである。時計回路４は、現在時刻情報を出力するためのものである。
【００１５】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００１６】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１７】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１８】
網制御装置１１は、このファクシミリ装置を公衆電話回線網に接続するためのものであり、自動発着信機能を備えている。
【００１９】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２０】
また、網制御装置１１とグループ３ファクシミリモデム１０との間のデータのやりとりは、直接行なわれている。
【００２１】
また、このグループ３ファクシミリ装置は、基本的に、メモリ蓄積送信動作を行う。
【００２２】
このメモリ蓄積送信動作では、スキャナ５から読み取った送信原稿画像の画像データを、符号化復号化部８により、最適な符号化方式で符号化圧縮し、それによって形成した画情報を画像蓄積装置９に一旦蓄積する。そして、相手端末へ発呼し、そのときに使用する伝送機能を決定すると、その決定した伝送機能に含まれる符号化方式に、送信画情報の符号化方式を変換し、その変換後の送信画情報を相手端末へ送信する。
【００２３】
この送信画情報の作成のシーケンスの一例を図２に示す。
【００２４】
すなわち、画像蓄積装置９から読み出された画情報は、符号化復号化部８の復号化ユニット８ａにより元の画像データに復号化され、その画像データは、システムメモリ２に作成されるラインバッファ２ａに蓄積される。
【００２５】
そして、ラインバッファ２ａに蓄積された画像データは、符号化復号化部８の符号化ユニット８ｂにより、そのときの相手端末の伝送機能に応じた符号化方式で符号化圧縮されるとともに、必要に応じてライン単位にフィルビットが付加され、システムメモリ２に作成されるＤＣＲ（符号化複号化）バッファ２ｂに保存される。
【００２６】
次いで、ＤＣＲバッファ２ｂから読み出される送信画情報のデータは、システムメモリ２に作成されるＣＣＵ（通信制御ユニット）バッファ２ｃを介して、グループ３ファクシミリモデム１０へ転送され、モデム信号に変換された後、網制御装置１１を介して、公衆網ＰＳＴＮへと送り出される。
【００２７】
なお、ＥＣＭ（誤り訂正）モードで画情報送信する場合には、後述するように、データがフレーム化されるので、ライン単位のフィルビットの付加の制御は行われない。また、その場合、ＣＣＵバッファ２ｃが、ＥＣＭデータバッファとして機能する。
【００２８】
このようにして、画情報送信時には、符号化復号化部８から出力される送信画情報は、一旦ＤＣＲバッファ２ｂに蓄積されるので、高速データ通信時であっても、実際にグループ３ファクシミリモデム１０が画情報の送信を開始するまでの間に、十分なデータ量の送信画情報をＤＣＲバッファ２ｂに蓄積しておけば、円滑な画情報送信動作を行えるのである。
【００２９】
図３は、Ｖ．３４モデム機能を使用して画情報伝送するときの伝送手順の一例を示している。
【００３０】
ここで、Ｖ．３４モデム機能を使用するとき、画情報伝送モードは上述したＥＣＭモードが適用される。このＥＣＭモードについて、概略説明すると、次のような画情報伝送動作が行われる。
【００３１】
まず、送信画情報は２５６（または６４）バイト毎のデータに分割され、分割データ毎に所定形式のフレームデータ（エラー検出符号付き）に整形され、２５６個以下のフレームデータを順次配置してなるブロック単位に送信される。
【００３２】
受信側では、受信した各フレームについてデータエラーの有無を検査し、１つ以上のフレームにエラーを検出したときには、その旨を通知する伝送制御信号を送信側に送出するとともに、その伝送制御信号には、データエラーを検出したフレーム番号を通知するための情報を付加する。また、受信側では、受信した全てのフレームにデータエラーを検出しなかった場合には、その旨をあらわす伝送手順信号を送信側に送出する。
【００３３】
一方、送信側では、受信側からフレームエラーを検出したことが通知されると、そのときに通知されたフレーム番号のフレームデータを再送する。また、データエラーを検出しなかったことが通知されると、次のブロックの画情報の伝送動作を行う。
【００３４】
この再送動作を繰り返し行うことで、エラーのない１ブロック分の画情報が、受信側で得られるようにしている。
【００３５】
なお、このＥＣＭモードは、データエラーのないことを保証するグループ３ファクシミリ装置の他のデータ伝送モード、例えば、バイナリデータ転送モードなどの基本となる伝送モードである。
【００３６】
さて、この場合には、Ｖ．３４モデムの半二重モードによる伝送手順が行われる。
【００３７】
すなわち、送信端末ＴＸが受信端末ＲＸへ発呼し、受信端末ＲＸが着信応答すると、送信端末ＴＸは、所定周波数の単一トーン信号である呼出信号ＣＮＧを送出し、まず、モデム間のセッションを確立するためのフェーズ１を開始する。
【００３８】
このフェーズ１では、受信端末ＲＸは、振幅変調を施した所定のトーン信号である信号ＡＮＳａｍを送出して、フェーズ１の開始を通知し、送信端末ＴＸは、信号ＡＮＳａｍを受信すると、主として自端末に備えられているモデム種別等の変調方式を表示するための起呼メニュー信号ＣＭを送出する。
【００３９】
起呼メニュー信号ＣＭを受信すると、受信端末ＲＸは、その起呼メニュー信号ＣＭにより通知されたモデム種別等の変調方式から、そのときに使用するモデム種別等の変調方式を選択し、その選択したモデム種別等の変調方式を通知するための共通メニュー信号ＪＭを送出する。この場合、受信端末ＲＸはＶ．３４モデムを使用するモデム機能として選択し、送信端末ＴＸに通知する。
【００４０】
共通メニュー信号ＪＭを受信すると、送信端末ＴＸは、ＣＭ終端子ＣＪを送出し、共通メニュー信号ＪＭで通知されたモデム種別等の変調方式を適用するようにモデム装置の機能を設定する。
【００４１】
また、受信端末ＲＸは、ＣＭ終端子ＣＪを受信した後に、共通メニュー信号ＪＭの出力を終了する。
【００４２】
このようにして、使用するモデム種別が設定されると、送信端末ＴＸは、使用する回線の特性を調査するラインプロービングを行うためのフェーズ２を開始する。ここで、図にＡ＊，Ｂ＊と示した信号は、それぞれ信号Ａ，Ｂを反転した信号である。同様に、以降のフェーズにおいて、「＊」が付加された信号は、それを付加しない同一信号名の信号を反転した信号である。なお、使用するモデム種別がＶ．３４モデム以外の場合には、フェーズ１が終了した時点で、使用することが設定されたモデム種別に応じた伝送手順へと移行する。
【００４３】
このフェーズ２では、双方のモデム情報を交換し（信号ＩＮＦＯシーケンス）、送信端末ＴＸが送出する回線試験用のトーン（Ｂ，Ｂ＊）を受信端末ＲＸが受信することにより、回線特性が判定され、その判定結果が送信端末ＴＸへ通知される。
【００４４】
次に、プライマリチャネルイコライザトレーニングのためのフェーズ３を実行する。ここでは、送信端末ＴＸは、フェーズ２の結果に基づいた信号（Ｓ，Ｓ＊，ＴＲＮ）を送出し、受信端末ＲＸは、その受信した信号により、画情報を受信するプライマリチャネルのイコライザを調整する。
【００４５】
次に、コントロールチャネルのスタートアップのためのフェーズ４を実行する。ここでは、送信端末ＴＸおよび受信端末ＲＸが、それぞれ信号ＰＰｈを送出するとともに、受信した信号ＰＰｈに対して、信号ＭＰｈシーケンスを応答する手順となっている。このうち、信号ＭＰｈシーケンスにより、コントロールチャネルの伝送速度やプライマリチャネルの伝送速度の交換を行う。また、各チャネルの伝送速度は、双方の信号ＭＰｈシーケンスで指示された伝送速度以下、あるいは、それに等しい伝送速度のうち、可能な最大速度が設定される。すなわち、このフェーズ４において、画情報の伝送速度が設定される。
【００４６】
このようにして、フェーズ４まで終了し、コントロールチャネルとプライマリチャネルの伝送速度が設定されると、次のフェーズ５において、コントロールチャネルを使って、ファクシミリ伝送前手順信号のやりとりがなされる。
【００４７】
すなわち、コントロールチャネルを用い、受信端末ＲＸは、自端末に装備されている標準的な機能を通知するためのデジタル識別信号ＤＩＳ、自端末に設定されている非標準的な機能を通知するための非標準機能識別信号ＮＳＦ、および、自端末を表示するための被呼端末識別信号ＣＳＩを送出する。
【００４８】
送信端末ＴＸは、非標準機能識別信号ＮＳＦ、デジタル識別信号ＤＩＳ、および、被呼端末識別信号ＣＳＩを受信すると、非標準機能識別信号ＮＳＦおよびデジタル識別信号ＤＩＳにより通知された受信能力パラメータの値に基づいて、画像サイズや符号化方式など、そのときに使用する伝送機能を決定する。そして、自端末を表示するための送信端末識別信号ＴＳＩおよびそのときに決定した伝送機能を通知するためのデジタル命令信号ＤＣＳを送出する。
【００４９】
受信端末ＲＸは、デジタル命令信号ＤＣＳを受信すると、その旨をあらわす受信準備確認信号ＣＦＲを応答し、画情報の受信準備へと移行する。
【００５０】
次のフェーズ６で、プライマリチャネルを用い、送信端末ＴＸは、信号Ｓ，Ｓ＊によるモデムのリトレーニングの後に、画情報ＰＩＸを送信する。受信端末ＲＸは、受信した画情報ＰＩＸについて、上述したエラー検出を行い、再送要求等の動作を行う。
【００５１】
このようにして、基本的には、フェーズ５のコントロールチャネルによるファクシミリ伝送前手順信号のやりとりにおいて、受信端末ＲＸから受信準備確認信号ＣＦＲを受信した時点で、送信端末ＴＸは、デジタル命令信号ＤＣＳで指定した伝送機能が受信端末ＲＸで受け付けられたと認識し、その時点Ｔ１で符号化復号化部８の動作を起動し、図２に示したような送信画情報の生成動作を開始する。
【００５２】
ここで、画情報の送信は、フェーズ６のモデムのリトレーニングが終了した直後の時点Ｔ２から開始される。したがって、時点Ｔ１から時点Ｔ２までの時間ｔ１で、ＤＣＲバッファ２ｂに十分な送信画情報のデータが蓄積されていなければ、画情報の送信が行われず、この場合には、モデム信号を維持するためのフラグが送信されることとなり、結果的に、画情報送信のための時間が長くなる。
【００５３】
そこで、本願発明者は、図４に示すように、送信端末ＴＸが、受信端末ＲＸより受信した非標準機能識別信号ＮＳＦおよびデジタル識別信号ＤＩＳにより通知された受信能力パラメータの値に基づいて、画像サイズや符号化方式など、そのときに使用する伝送機能を決定した時点Ｔ３で、符号化復号化部８の動作を起動し、図２に示したような送信画情報の生成動作を開始することとした。
【００５４】
これにより、その後の画情報の送信が開始される時点Ｔ２までの時間ｔ２が、図３における時間ｔ１よりも長くなり、その結果、ＤＣＲバッファ２ｂに十分なデータ量の送信画情報を蓄積することができ、フェーズ６の画情報送信開始時点から、適切に画情報送信を行うことができることとなる。
【００５５】
この場合、上述した時点Ｔ３が、その後に使用する伝送機能が確定する最も早い時点であり、例え、時点Ｔ２でＤＣＲバッファ２ｂに十分なデータ量の送信画情報が蓄積されなくとも、最も短い遅れ時間で、フェーズ６の画情報送信を開始することができ、符号化復号化部８の起動タイミングとして、最も効果的なタイミングである。
【００５６】
この場合、システム制御部１が実行する符号化復号化部８の起動制御の一例を図５に示す。
【００５７】
発呼して、上述したＶ．８，Ｖ３４モデムのトレーニング手順等を開始すると（処理１０１）、フェーズ４が終了するまで待ち（判断１０２のＮＯループ）、フェーズ４が終了して判断１０２の結果がＹＥＳになると、受信端末ＲＸより非標準機能識別信号ＮＳＦまたはデジタル識別信号ＤＩＳを受信するまで待つ（判断１０３のＮＯループ）。
【００５８】
そして、受信端末ＲＸより非標準機能識別信号ＮＳＦまたはデジタル識別信号ＤＩＳを受信して判断１０３の結果がＹＥＳになり、そのときに使用する伝送機能を決定すると、符号化復号化部８を起動し、図２に示した処理シーケンスを開始して、送信画情報の生成を開始する（処理１０４）。
【００５９】
このようにして、本実施例では、Ｖ．３４モデム機能を使用する場合、最も早い時点で符号化復号化部８の動作を起動しているので、グループ３ファクシミリモデム１０による画情報の送信開始時点において、十分なデータ量の送信画情報を用意することができ、その結果、従前装置と同等の処理速度の符号化復号化部８を用いて、Ｖ．３４モデム機能を備えたファクシミリ装置を構成することができ、高速データ通信が可能なファクシミリ装置の装置コストの上昇を抑制することができる。
【００６０】
ところで、グループ３ファクシミリ装置では、いわゆる、ＡＩ短プロ（短縮プロトコル）という独自手順が適用されることがあり、そのＡＩ短プロの手順の一例を図６（ａ）に示す。
【００６１】
まず、あらかじめ、送信端末ＴＸでは、受信端末ＲＸの伝送機能の履歴情報を記憶しておく。送信端末ＴＸが受信端末ＲＸへ発呼し、回線が確立すると、受信端末ＲＸは、着信検出して、被呼局識別信号ＣＥＤを送出する。
【００６２】
送信端末ＴＸは、受信端末ＲＸより被呼局識別信号ＣＥＤを受信すると、ＡＩ短プロの開始を指令する所定のトーン信号ＴＮ１（例えば、８００Ｈｚの単一トーン信号）を送出する。
【００６３】
受信端末ＲＸは、トーン信号ＴＮ１を受信すると、それ以降の手順信号の送出を停止して、送信端末ＴＸより非標準機能設定信号ＮＳＳ（Ａ）を受信するまで待機する。
【００６４】
一方、送信端末ＴＸは、トーン信号ＴＮ１の送出を終了すると、そのときの受信端末ＲＸに対応して記憶している伝送機能の履歴情報を取り出し、その伝送機能を、そのときに使用する伝送機能として決定する。そして、その決定した伝送機能を通知するための非標準機能設定信号ＮＳＳ（Ａ）を形成して、受信端末ＲＸへ送信する。
【００６５】
受信端末ＲＸは、非標準機能設定信号ＮＳＳ（Ａ）を受信すると、そのときに通知された伝送機能を装置内部の各機能に設定し、受信準備確認信号ＣＦＲを送出した後に、画情報受信に備える。
【００６６】
送信端末ＴＸは、受信端末ＲＸより受信準備確認信号ＣＦＲを受信すると、非標準機能設定信号ＮＳＳ（Ａ）で指定した伝送機能が受信端末ＲＸで受け付けられたと認識し、その時点Ｔ５で符号化復号化部８の動作を起動し、図２に示したような送信画情報の生成動作を開始する。
【００６７】
ところが、この場合には、送信端末ＴＸは、受信準備確認信号ＣＦＲを受信した直後から、グループ３ファクシミリモデム１０のリトレーニングを開始し、リトレーニングに続いてグループ３ファクシミリモデム１０による画情報送信を行うが、この画情報送信の開始の時点Ｔ６は、符号化復号化部８を起動する時点Ｔ５からわずかな時間ｔ５を経過したのみであり、したがって、ＤＣＲバッファ２ｂに十分な送信画情報のデータが蓄積されずに、画情報の送信が行われず、モデム信号を維持するためのフラグが送信されることとなり、結果的に、画情報送信のための時間が長くなる。
【００６８】
そこで、本願発明者は、同図（ｂ）に示すように、送信端末ＴＸがトーン信号ＴＮ１の送出を終了して、そのときの受信端末ＲＸに対応して記憶している伝送機能の履歴情報を取り出し、その伝送機能を、そのときに使用する伝送機能として決定し、その決定した伝送機能を通知するための非標準機能設定信号ＮＳＳ（Ａ）を形成した時点Ｔ７で、符号化復号化部８の動作を起動し、図２に示したような送信画情報の生成動作を開始することとした。
【００６９】
これにより、その後の画情報の送信が開始される時点Ｔ６までの時間ｔ６が、同図（ａ）における時間ｔ５よりも十分に長くなり、その結果、ＤＣＲバッファ２ｂに十分なデータ量の送信画情報を蓄積することができ、時点Ｔ６の画情報送信開始から、適切に画情報送信を行うことができることとなる。
【００７０】
この場合、上述した時点Ｔ７が、その後に使用する伝送機能が確定する最も早い時点であり、例え、時点Ｔ６でＤＣＲバッファ２ｂに十分なデータ量の送信画情報が蓄積されなくとも、最も短い遅れ時間で、フェーズ６の画情報送信を開始することができ、符号化復号化部８の起動タイミングとして、最も効果的なタイミングである。
【００７１】
一方、受信端末ＲＸの伝送機能が変更になったり、あるいは、受信端末ＲＸがトーン信号ＴＮ１を検出できなければ、再学習手順に移行する。その再学習手順の一例を図７に示す。
【００７２】
まず、送信端末ＴＸが受信端末ＲＸへ発呼し、回線が確立すると、受信端末ＲＸは、着信検出して、被呼局識別信号ＣＥＤを送出する。
【００７３】
送信端末ＴＸは、受信端末ＲＸより被呼局識別信号ＣＥＤを受信すると、ＡＩ短プロの開始を指令する所定のトーン信号ＴＮ１（例えば、８００Ｈｚの単一トーン信号）を送出し、トーン信号ＴＮ１の送出を終了すると、そのときの受信端末ＲＸに対応して記憶している伝送機能の履歴情報を取り出し、その伝送機能を、そのときに使用する伝送機能として決定する。そして、その決定した伝送機能を通知するための非標準機能設定信号ＮＳＳ（Ａ）を形成して、受信端末ＲＸへ送信する。
【００７４】
このとき、受信端末ＲＸは、トーン信号ＴＮ１を受信すると、それ以降の手順信号の送出を停止して、送信端末ＴＸより非標準機能設定信号ＮＳＳ（Ａ）を受信するまで待機する。そして、非標準機能設定信号ＮＳＳ（Ａ）を受信したが、このときには、自端末の伝送機能が変更されているので、この非標準機能設定信号ＮＳＳ（Ａ）を適用することができない。
【００７５】
そこで、受信端末ＲＸは、再学習手順のために、自端末の機能を通知するための非標準機能識別信号ＮＳＦおよびデジタル識別信号ＤＩＳを送信端末ＴＸに対して送出する。
【００７６】
一方、送信端末ＴＸは、非標準機能設定信号ＮＳＳ（Ａ）に対して、受信端末ＲＸより、受信準備確認信号ＣＦＲを受信できずに、非標準機能識別信号ＮＳＦおよびデジタル識別信号ＤＩＳを受信すると、再学習手順に移行し、その受信した非標準機能識別信号ＮＳＦおよびデジタル識別信号ＤＩＳに基づいて、そのときに使用する伝送機能を決定し、その決定した伝送機能を通知するための非標準機能設定信号ＮＳＳを形成して、受信端末ＲＸに送信する。それとともに、そのときの受信端末ＲＸの伝送機能として記憶している履歴情報の内容を、そのときに決定した伝送機能の内容に更新する。
【００７７】
また、非標準機能設定信号ＮＳＳを送出すると、送信端末ＴＸは、モデムトレーニングのための信号ＴＣＦを送出する。受信端末ＲＸは、非標準機能設定信号ＮＳＳを受信すると、その非標準機能設定信号ＮＳＳにより通知された伝送機能を装置内部の各部にセットし、信号ＴＣＦを受信して、モデムトレーニング動作を行う。モデムトレーニング結果が良好であれば、受信準備確認信号ＣＦＲを送信端末ＴＸへ応答する。
【００７８】
そして、送信端末ＴＸは、受信端末ＲＸより受信準備確認信号ＣＦＲを受信すると、グループ３ファクシミリモデム１０のリトレーニングを開始し、リトレーニングに続いてグループ３ファクシミリモデム１０による画情報送信を行う。
【００７９】
また、この場合、図６（ｂ）と同様にして、送信端末ＴＸは、トーン信号ＴＮ１の送出完了後、履歴情報に基づいて使用する伝送機能として決定した時点Ｔ７で、符号化復号化部８の動作を起動し、図２に示したような送信画情報の生成動作を開始するが、この場合には、非標準機能設定信号ＮＳＳ（Ａ）に対して、受信端末ＲＸより、受信準備確認信号ＣＦＲを受信できずに、非標準機能識別信号ＮＳＦおよびデジタル識別信号ＤＩＳを受信するので、その時点Ｔ８で、一旦図２の送信画情報の生成動作を停止する。
【００８０】
そして、受信した非標準機能識別信号ＮＳＦおよびデジタル識別信号ＤＩＳに基づいて、そのときに使用する伝送機能を決定した時点Ｔ９で、符号化復号化部８を再度起動し、図２に示した送信画情報の生成動作を開始する。
【００８１】
それにより、画情報送信が開始される時点Ｔ１０では、ＤＣＲバッファ２ｂに十分なるデータ量の送信画情報を蓄積することができ、この時点Ｔ１０から、適切に画情報送信を行うことができる。
【００８２】
この場合のシステム制御部1が実行する符号化復号化部８の起動制御の一例を図８に示す。
【００８３】
指定された宛先へ発呼し（処理２０１）、受信端末ＲＸより被呼局識別信号ＣＥＤを受信するまで待ち（判断２０２のＮＯループ）、受信端末ＲＸより被呼局識別信号ＣＥＤを受信して判断２０２の結果がＹＥＳになると、トーン信号ＴＮ１を送出する（処理２０３）。
【００８４】
そして、そのときの宛先について記憶している履歴情報に基づいて、伝送機能を決定し（処理２０４）、符号化復号化部８を起動して、上述したような送信画情報の生成動作を開始させる（処理２０５）。
【００８５】
それとともに、決定した伝送機能を通知するための非標準機能設定信号ＮＳＳ（Ａ）を送出し（処理２０６）、応答信号として、受信準備確認信号ＣＦＲを受信するか、あるいは、非標準機能識別信号ＮＳＦおよびデジタル識別信号ＤＩＳを受信するまで待機する（判断２０７，２０８のＮＯループ）。
【００８６】
応答信号として、受信準備確認信号ＣＦＲを受信した場合で、判断２０７の結果がＹＥＳになるときには、その状態で、次の処理へ進み、画情報送信動作を継続する。
【００８７】
また、応答信号として、非標準機能識別信号ＮＳＦおよびデジタル識別信号ＤＩＳを受信を受信した場合で、判断２０８の結果がＹＥＳになるときには、符号化復号化部８の動作を停止するとともに、送信画情報の生成処理を停止し（処理２０９）、そのときに作成してＤＣＲバッファ２ｂに保存されている送信画情報を消去する（処理２１０）。
【００８８】
次いで、その受信した非標準機能識別信号ＮＳＦおよびデジタル識別信号ＤＩＳに基づいて、そのときに使用する伝送機能を決定し（処理２１１）、符号化復号化部８を起動して、上述したような送信画情報の生成動作を開始させる（処理２１２）。
【００８９】
それ以降は、上述したような送信動作を継続して実行し、画情報送信動作を行うとともに、そのときの受信端末ＲＸの伝送機能として記憶している履歴情報の内容を、新たに決定した伝送機能の内容に更新する。
【００９０】
このようにして、本実施例では、ＡＩ短プロを適用する場合でも、画情報の送信時に十分なデータ量の送信画情報を揃えることができ、画情報送信を円滑に行える。
【００９１】
ところで、上述した実施例では、スキャナ５から読み取って得た画像データの画情報を送信する場合について説明したが、各種レポート画像を生成し、そのレポート画像の画情報を送信する場合についても、本発明を同様にして適用することができる。
【図面の簡単な説明】
【００９２】
【図１】本発明の一実施例にかかるグループ３ファクシミリ装置の構成例を示したブロック図。
【図２】送信画情報の作成のシーケンスの一例を示したブロック図。
【図３】Ｖ．３４モデム機能を使用して画情報伝送するときの伝送手順の一例を示したタイミングチャート。
【図４】本発明の一実施例にかかる符号化復号化部の起動タイミングを説明するためのタイミングチャート。
【図５】システム制御部が実行する符号化復号化部の起動制御の一例を示すフローチャート。
【図６】ＡＩ短プロの手順の一例を示したタイムチャート。
【図７】ＡＩ短プロの手順の再学習手順の一例を示したタイムチャート。
【図８】本発明の他の実施例にかかる符号化復号化部の起動タイミングを説明するためのタイミングチャート。
【符号の説明】
【００９３】
１  システム制御部
１０  グループ３ファクシミリモデム
【図１】
2005102308.tif 000003
【図２】
2005102308.tif 000004
【図３】
2005102308.tif 000005
【図４】
2005102308.tif 000006
【図５】
2005102308.tif 000007
【図６】
2005102308.tif 000008
【図７】
2005102308.tif 000009
【図８】
2005102308.tif 000010
【手続補正書】
【提出日】平成16年12月2日(2004.12.2)
【手続補正１】
【補正対象書類名】特許請求の範囲
【補正対象項目名】全文
【補正方法】変更
【補正の内容】
【特許請求の範囲】
【請求項１】
相手端末との間で使用する伝送機能を相手端末に通知し、前記通知に対する確認信号を受信した後に、画情報を相手端末へ送信するファクシミリ装置において、
相手端末との間で使用する伝送機能を自装置が決定する伝送機能決定手段と、
前記伝送機能決定手段によって決定された伝送機能を相手装置に通知する前に、前記決定された伝送機能に基づいて画情報を変換するための処理を開始する変換処理手段と、
画情報の送信時点で、送信を開始するのに十分な量の処理済みの画情報を用意する制御手段とを備えたことを特徴とするファクシミリ装置。
【請求項２】
モデム機能としてＶ．３４モデム機能を備えると共に、前記Ｖ．３４モデム機能のコントロールチャネルプロトコル手順によって相手端末との間で使用する伝送機能を相手端末に通知し、前記通知に対する確認信号を受信した後に、画情報を相手端末へ送信するファクシミリ装置において、
相手端末との間で使用する伝送機能を自装置が決定する伝送機能決定手段と、
前記伝送機能決定手段によって決定された伝送機能を相手装置に通知する前に、前記決定された伝送機能に基づいて画情報を変換するための処理を開始する変換処理手段と、
画情報の送信時点で、送信を開始するのに十分な量の処理済みの画情報を用意する制御手段とを備えたことを特徴とするファクシミリ装置。
【請求項３】
さらに、相手端末の伝送機能の履歴を記憶する伝送機能履歴手段を備え、
前記伝送機能決定手段は、前記伝送機能履歴手段に記憶されている相手端末の伝送機能に基づいて、使用する伝送機能を決定することを特徴とする請求項１または２に記載のファクシミリ装置。
【請求項４】
相手端末との間で使用する伝送機能を相手端末に通知し、前記通知に対する確認信号を受信した後に、画情報を相手端末へ送信するファクシミリ装置の制御方法において、
相手端末との間で使用する伝送機能を自装置が決定するとともに、その決定した伝送機能を相手装置に通知する前に、前記決定された伝送機能に基づいて画情報を変換するための処理を開始し、
画情報の送信時点で、送信を開始するのに十分な量の処理済みの画情報を用意することを特徴とするファクシミリ装置の制御方法。
【請求項５】
モデム機能としてＶ．３４モデム機能を備えると共に、前記Ｖ．３４モデム機能のコントロールチャネルプロトコル手順によって相手端末との間で使用する伝送機能を相手端末に通知し、前記通知に対する確認信号を受信した後に、画情報を相手端末へ送信するファクシミリ装置の制御方法において、
相手端末との間で使用する伝送機能を自装置が決定するとともに、その決定した伝送機能を相手装置に通知する前に、前記決定された伝送機能に基づいて画情報を変換するための処理を開始し、
画情報の送信時点で、送信を開始するのに十分な量の処理済みの画情報を用意することを特徴とするファクシミリ装置の制御方法。
【請求項６】
さらに、相手端末の伝送機能の履歴を記憶し、その記憶している相手端末の伝送機能に基づいて、使用する伝送機能を決定することを特徴とする請求項４または５に記載のファクシミリ装置の制御方法。
【手続補正３】
【補正対象書類名】明細書
【補正対象項目名】０００６
【補正方法】変更
【補正の内容】
【０００６】
本発明は、相手端末との間で使用する伝送機能を相手端末に通知し、前記通知に対する確認信号を受信した後に、画情報を相手端末へ送信するファクシミリ装置において、相手端末との間で使用する伝送機能を自装置が決定する伝送機能決定手段と、前記伝送機能決定手段によって決定された伝送機能を相手装置に通知する前に、前記決定された伝送機能に基づいて画情報を変換するための処理を開始する変換処理手段と、画情報の送信時点で、送信を開始するのに十分な量の処理済みの画情報を用意する制御手段とを備えたものである。
【手続補正４】
【補正対象書類名】明細書
【補正対象項目名】０００７
【補正方法】変更
【補正の内容】
【０００７】
また、モデム機能としてＶ．３４モデム機能を備えると共に、前記Ｖ．３４モデム機能のコントロールチャネルプロトコル手順によって相手端末との間で使用する伝送機能を相手端末に通知し、前記通知に対する確認信号を受信した後に、画情報を相手端末へ送信するファクシミリ装置において、相手端末との間で使用する伝送機能を自装置が決定する伝送機能決定手段と、前記伝送機能決定手段によって決定された伝送機能を相手装置に通知する前に、前記決定された伝送機能に基づいて画情報を変換するための処理を開始する変換処理手段と、画情報の送信時点で、送信を開始するのに十分な量の処理済みの画情報を用意する制御手段とを備えたものである。
【手続補正５】
【補正対象書類名】明細書
【補正対象項目名】０００８
【補正方法】変更
【補正の内容】
【０００８】
また、さらに、相手端末の伝送機能の履歴を記憶する伝送機能履歴手段を備え、前記伝送機能決定手段は、前記伝送機能履歴手段に記憶されている相手端末の伝送機能に基づいて、使用する伝送機能を決定することを特徴とするものである。
【手続補正６】
【補正対象書類名】明細書
【補正対象項目名】０００９
【補正方法】変更
【補正の内容】
【０００９】
また、相手端末との間で使用する伝送機能を相手端末に通知し、前記通知に対する確認信号を受信した後に、画情報を相手端末へ送信するファクシミリ装置の制御方法において、相手端末との間で使用する伝送機能を自装置が決定するとともに、その決定した伝送機能を相手装置に通知する前に、前記決定された伝送機能に基づいて画情報を変換するための処理を開始し、画情報の送信時点で、送信を開始するのに十分な量の処理済みの画情報を用意するようにしたものである。
また、モデム機能としてＶ．３４モデム機能を備えると共に、前記Ｖ．３４モデム機能のコントロールチャネルプロトコル手順によって相手端末との間で使用する伝送機能を相手端末に通知し、前記通知に対する確認信号を受信した後に、画情報を相手端末へ送信するファクシミリ装置の制御方法において、相手端末との間で使用する伝送機能を自装置が決定するとともに、その決定した伝送機能を相手装置に通知する前に、前記決定された伝送機能に基づいて画情報を変換するための処理を開始し、画情報の送信時点で、送信を開始するのに十分な量の処理済みの画情報を用意するようにしたものである。
また、さらに、相手端末の伝送機能の履歴を記憶し、その記憶している相手端末の伝送機能に基づいて、使用する伝送機能を決定するようにしたものである。